(57)【要約】【課題】遊技ホールにおける遊技者の足元に積み上げて置かれる遊技媒体収納箱（ドル箱）を、満杯状態に見せかけて集客効果の向上に役立てる。【解決手段】表面全体が擬似遊技媒体群（１５）の凹凸状態に賦形されたトップマスク（Ｍ１）と、中央が遊技媒体収納箱（Ｃ）の底面（１１）と対応する平面形状のフラット面（１６）をなし、且つそのフラット面（１６）の周辺だけに擬似遊技媒体群（１５ａ）が並ぶ縁取り凹凸状態に賦形されたベースマスク（Ｍ２）との２種を備え、遊技媒体収納箱（Ｃ）の開口上面を施蓋する状態に取り付けられた上記ベースマスク（Ｍ２）のフラット面（１６）へ、上記トップマスク（Ｍ１）の取り付けによって開口上面が施蓋された状態にある最上段の遊技媒体収納箱（Ｃ）を積み重ねるように定めた。【選択図】図１
2017104307.tif 000002
【特許請求の範囲】
【請求項１】
表面全体が擬似遊技媒体群（１５）の盛り上がる凹凸状態に賦形されたトップマスク（Ｍ１）と、
中央が遊技媒体収納箱（Ｃ）の底面（１１）と対応する平面形状のフラット面（１６）をなし、そのフラット面（１６）の周辺だけに擬似遊技媒体群（１５ａ）が並ぶ縁取り凹凸状態に賦形されたベースマスク（Ｍ２）とを備え、
遊技媒体収納箱（Ｃ）の開口上面を施蓋する状態に取り付けられた上記ベースマスク（Ｍ２）のフラット面（１６）へ、上記トップマスク（Ｍ１）の取り付けによって開口上面が施蓋された状態にある最上段の遊技媒体収納箱（Ｃ）を積み重ねるように定めたことを特徴とする遊技媒体収納箱の集客用演出装置。
【請求項２】
遊技媒体収納箱（Ｃ）の開口形状と対応する平面形状に作成されたトップマスク（Ｍ１）並びにベースマスク（Ｍ２）の周縁部を、各々遊技媒体収納箱（Ｃ）への差込み係止脚（１４）として、
その遊技媒体収納箱（Ｃ）の囲い壁面（１２）へ上方から抜き差し自在に差し込み係止させたことを特徴とする請求項１記載の遊技媒体収納箱の集客用演出装置。
【請求項３】
トップマスク（Ｍ１）とベースマスク（Ｍ２）の周縁部を何れも遊技媒体収納箱（Ｃ）の縁取りフランジ（１３）へ載置する係止フランジ（２２）として、ほぼ水平に張り出し形成すると共に、
上記遊技媒体収納箱（Ｃ）における縁取りフランジ（１３）の把手（１３ａ）に巻き付けることができる締結用具（２３）を、上記トップマスク（Ｍ１）とベースマスク（Ｍ２）の係止フランジ（２２）へ各々取り付けたことを特徴とする請求項１記載の遊技媒体収納箱の集客用演出装置。
【請求項４】
遊技媒体収納箱（Ｃ）の把手（１３ａ）も含む縁取りフランジ（１３）へ全体的に喰い付く伸縮可能なゴム膜（２４）を、トップマスク（Ｍ１）とベースマスク（Ｍ２）の周縁部から各々連続的に張り出し形成したことを特徴とする請求項１記載の遊技媒体収納箱の集客用演出装置。
【請求項５】
トップマスク（Ｍ１）の表面全体に賦形された全面擬似遊技媒体群（１５）又は／及びベースマスク（Ｍ２）の周辺に賦形された周辺擬似遊技媒体群（１５ａ）から、擬似延長遊技媒体群（１５ｂ）を部分連続的に張り出すと共に、
その部分的な擬似延長遊技媒体群（１５ｂ）を遊技媒体収納箱（Ｃ）の開口上縁部に沿って延在するヒンジ部（２０）から、ほぼ直角に折り曲げることができるように定めたことを特徴とする請求項１記載の遊技媒体収納箱の集客用演出装置。
【請求項６】
トップマスク（Ｍ１）又は／及びベースマスク（Ｍ２）における部分的な擬似延長遊技媒体群（１５ｂ）の張り出し先端部と、これと向かい合う周縁部の対応位置とを伸縮自在又は作用長さの調整可能な締結用具（２１）によって連繋し、
その締結用具（２１）を遊技媒体収納箱（Ｃ）の底面（１１）へ着脱自在に掛け渡すように定めたことを特徴とする請求項５記載の遊技媒体収納箱の集客用演出装置。
【発明の詳細な説明】
【技術分野】
【０００１】
本発明は遊技ホールにおける遊技者の足元付近に積み上げて置かれるパチンコ玉箱やメダル箱などの遊技媒体収納箱（通称：ドル箱）を、満杯状態に見せかけて集客するための演出装置に関する。
【背景技術】
【０００２】
パチンコホールを代表例に挙げて説明すると、従来から集客効果を得るために、遊技者の出玉が収納されたドル箱を、その足元付近に積み上げて置いている。
【０００３】
そのドル箱の積み上げ量が増す程、良く出しているホールであるという集客上のアピールになる反面、火災や地震などの発生時には、その積み上げたドル箱が避難通路の障害物になるため、一定量を越えると、ホールのスタッフが計数装置まで運ぶことにより、ドル箱の積み上げ量を制限しているホールもある。
【０００４】
他方、最近では着席した瞬間から入金・遊技・計数をすべて行える計数機が、各パチンコ機に搭載されており、このようなパチンコホールでは上記避難通路を安全に確保することができ、ホールのスタッフが重い上記ドル箱を運搬したり、見栄え良く並べたりする必要もなく、便利である反面、集客効果を得るための演出としては、ドル箱を積み上げるという物理的な方法に劣るのである。遊技者がパチンコホールへ入店するに当り、出玉率の良好なホールであるか否かを、店外から一目瞭然に判断できないからである。
【０００５】
この点、特許文献１には「パチンコ機用の見せかけ用玉箱」が開示されており、これは積み重ねることもできるように構成されている点で、本発明に最も近似する公知考案であると考えられる。
【先行技術文献】
【特許文献】
【０００６】
【特許文献１】実用新案登録第３０２３７５８号公報
【発明の概要】
【発明が解決しようとする課題】
【０００７】
ところが、上記特許文献１に開示されている公知考案の構成では、パチンコ玉群の模造枠体（Ｂ）だけでなく、これを嵌装するためのパチンコ玉箱（Ａ）又は模造玉箱（ａ）も、対応的な形態として作成準備しなければならず、その２つの構成部材を要するため、パチンコホールでの多量に使う見せかけ用玉箱として、製作費の高価になる問題がある。
【０００８】
又、パチンコ玉箱（Ａ）又は模造玉箱（ａ）の周壁（９）へ、模造枠体（Ｂ）の周壁部（１０）（１０ａ）を内接させるようになっているため、そのパチンコ玉箱（Ａ）又は模造玉箱（ａ）の大きさ・形状が変れば、模造枠体（Ｂ）の大きさ・形状も対応的に変える必要があり、従来からパチンコホールで使われている既往のパチンコ玉箱に嵌装することができず、汎用性がない。
【０００９】
更に、パチンコ玉箱（Ａ）又は模造玉箱（ａ）を不透明として、模造枠体（Ｂ）の模擬形状面（２）をその玉箱（Ａ）（ａ）の上面からのみ見られるように構成しても、その模造枠体（Ｂ）を玉箱（Ａ）（ａ）の内部へ嵌装した状態では、模造枠体（Ｂ）の上面をなすパチンコ玉の模擬形状面（２）が、上記玉箱（Ａ）（ａ）の上面から一定深さだけ沈没しているため、その積み重ね状態において上面が露出する最上段のものでさえも、そのパチンコ玉の模擬形状面（２）をパチンコホールの店外から目視することは困難であり、未だ集客効果を得ることに役立たない。
【００１０】
そして、上記模造枠体（Ｂ）の外周面に形成したパチンコ玉の模擬模様面（３）を見られるようにするためには、上記パチンコ玉箱（Ａ）又は模造玉箱（ａ）を特別に透明として作成する必要があり、やはり汎用性を発揮させることができないのである。
【課題を解決するための手段】
【００１１】
本発明はこのような諸問題の改良を目的としており、その目的を達成するために、請求項１では表面全体が擬似遊技媒体群の盛り上がる凹凸状態に賦形されたトップマスクと、
【００１２】
中央が遊技媒体収納箱の底面と対応する平面形状のフラット面をなし、そのフラット面の周辺だけに擬似遊技媒体群が並ぶ縁取り凹凸状態に賦形されたベースマスクとを備え、
【００１３】
遊技媒体収納箱の開口上面を施蓋する状態に取り付けられた上記ベースマスクのフラット面へ、上記トップマスクの取り付けによって開口上面が施蓋された状態にある最上段の遊技媒体収納箱を積み重ねるように定めたことを特徴とする。
【００１４】
又、請求項２では遊技媒体収納箱の開口形状と対応する平面形状に作成されたトップマスク並びにベースマスクの周縁部を、各々遊技媒体収納箱への差込み係止脚として、
【００１５】
その差込み係止脚を遊技媒体収納箱の囲い壁面へ上方から抜き差し自在に差し込み係止させたことを特徴とする。
【００１６】
請求項３ではトップマスクとベースマスクの周縁部を何れも遊技媒体収納箱の縁取りフランジへ載置する係止フランジとして、ほぼ水平に張り出し形成すると共に、
【００１７】
上記遊技媒体収納箱における縁取りフランジの把手に巻き付けることができる締結用具を、上記トップマスクとベースマスクの係止フランジへ各々取り付けたことを特徴とする。
【００１８】
請求項４では遊技媒体収納箱の把手も含む縁取りフランジへ全体的に喰い付く伸縮可能なゴム膜を、トップマスクとベースマスクの周縁部から連続的に張り出し形成したことを特徴とする。
【００１９】
請求項５ではトップマスクの表面全体に賦形された全面擬似遊技媒体群又は／及びベースマスクの周辺に賦形された周辺擬似遊技媒体群から、擬似延長遊技媒体群を部分連続的に張り出すと共に、
【００２０】
その部分的な擬似延長遊技媒体群を遊技媒体収納箱の開口上縁部に沿って延在するヒンジ部から、下方へほぼ直角に折り曲げることができるように定めたことを特徴とする。
【００２１】
更に、請求項６ではトップマスク又は／及びベースマスクにおける部分的な擬似延長遊技媒体群の張り出し先端部（下端部）と、これと向かい合う周縁部の対応位置とを伸縮自在又は作用長さの調整可能な締結用具によって連繋し、
【００２２】
その締結用具を遊技媒体収納箱の底面へ着脱自在に掛け渡すように定めたことを特徴とする。
【発明の効果】
【００２３】
請求項１の上記構成によれば、遊技者の獲得したパチンコ玉群やメダル群などの遊技媒体群が、積み重ね状態にある最上段の遊技媒体収納箱からトップマスクの全面擬似遊技媒体群として盛り上がっていることに加え、中段の遊技媒体収納箱や下段の遊技媒体収納箱も各々ベースマスクの周辺擬似遊技媒体群によって、その満杯状態になっている印象を与えるため、遊技者が遊技ホールの店外からでも、そのホールの所謂出玉率が良好であることを一目瞭然に判断できることとなり、優れた集客効果を得られるのである。
【００２４】
その場合、請求項２の構成を採用するならば、上記トップマスク並びにベースマスクの差込み係止脚を、遊技媒体収納箱へ上方から各々抜き差し自在に差し込み係止させることにより、その遊技媒体収納箱へ容易に取り付け使用できる効果がある。
【００２５】
又、請求項３や請求項４の構成を採用するならば、上記トップマスク並びにベースマスクと別個な締結用具やゴム膜を使用して、そのトップマスクとベースマスクを遊技媒体収納箱へ各々ますます安定良く取り付け固定できる効果がある。
【００２６】
特に、請求項５の構成を採用するならば、上記トップマスクの全面擬似遊技媒体群とベースマスクの周辺擬似遊技媒体群に加えて、そのトップマスク並びにベースマスクからあたかもぶどうの房が垂れ下がる如く、擬似延長遊技媒体群が獲得した遊技媒体群のますます多く溢れる印象を与えることになるため、請求項１の上記集客効果をますます向上させることができる。
【００２７】
その場合、請求項６の構成を採用するならば、上記トップマスク並びにベースマスクの擬似延長遊技媒体群が遊技媒体収納箱の開口上縁部に沿って延在するヒンジ部から、下方へほぼ直角に折り曲げられた状態を、その遊技媒体収納箱の底面へ掛け渡される（巻き付けられる）締結用具によって、安定良く固定維持できる効果があり、見栄え（意匠性）の向上にも役立つ。
【図面の簡単な説明】
【００２８】
【図１】本発明の基本実施形態に係る演出装置の使用状態を示す斜面図である。
【図２】図１の中央縦断拡大断面図である。
【図３】図１のトップマスクを抽出して示す斜面図である。
【図４】図３の平面図である。
【図５】図４の５−５線拡大断面図である。
【図６】トップマスクの積み重ね保管状態を示す断面図である。
【図７】図１のベースマスクを抽出して示す斜面図である。
【図８】図７の平面図である。
【図９】図８の９−９線断面図である。
【図１０】トップマスクの第１変形実施形態を示す斜面図である。
【図１１】ベースマスクの第１変形実施形態を示す斜面図である。
【図１２】図１０のトップマスクを使用する状態の断面図である。
【図１３】上記第１変形実施形態による演出装置の使用状態を示す図１に対応する斜面図である。
【図１４】図１３の中央縦断拡大断面図である。
【図１５】トップマスクの第２変形実施形態を示す斜面図である。
【図１６】上記第２変形実施形態による演出装置の使用状態を示す図１に対応する斜面図である。
【図１７】トップマスクの第３変形実施形態を示す斜面図である。
【図１８】上記第３変形実施形態による演出装置の使用状態を示す図１に対応する斜面図である。
【発明を実施するための形態】
【００２９】
以下、パチンコ玉箱を遊技媒体収納箱の代表例として、その本発明に係る集客用演出装置の基本実施形態を図１〜９に基き詳述すると、（Ｃ）は従来からパチンコホールで広く使われている汎用的なパチンコ玉箱であって、ポリカーボネートやポリプロピレン、その他の硬質な合成樹脂から長方形や楕円形、円形などの平面形状をなし、しかも底面（１１）へ行く程狭くなる一定深さの断面ほぼ倒立等脚台形に一体成形されているほか、その囲い壁面（１２）の開口上縁部からは少なくとも向かい合う一対の把手（１３ａ）にもなる縁取りフランジ（１３）が張り出されている。
【００３０】
（Ｍ）は上記パチンコ玉箱（Ｃ）の集客用演出装置を総称しており、これは図１、２のような積み重ね状態にある最上段のパチンコ玉箱（Ｃ）の開口上面を施蓋（被覆）するトップマスク（Ｍ１）と、それ以外のパチンコ玉箱（Ｃ）の開口上面を施蓋（被覆）した状態において下方から受け止めるベースマスク（Ｍ２）との２種類を具備している。
【００３１】
このようなトップマスク（Ｍ１）とベースマスク（Ｍ２）は合成樹脂やゴムなどの可塑物又はアルミや真鋳などの非鉄金属から、上記パチンコ玉箱（Ｃ）の開口形状と対応する平面形状に作成すれば良いが、図示の実施形態では何れもポリエチレンテレフタレート（ＰＥＦ）樹脂やポリスチレン（ＰＳ）樹脂のシート材から真空成形しており、その周縁部が上記パチンコ玉箱（Ｃ）への下向き差込み係止脚（１４）として、これを内向きに押し曲げ変形する復元力により、パチンコ玉箱（Ｃ）の囲い壁面（１２）へ弾圧的な係止状態に取り付け固定することができるようになっている。
【００３２】
又、特に上記トップマスク（Ｍ１）の表面全体は擬似パチンコ玉群（１５）の盛り上がる凹凸状態に賦形されているが、ベースマスク（Ｍ２）の中央はパチンコ玉箱（Ｃ）の底面（１１）と対応する平面形状のフラット面（１６）をなし、そのフラット面（１６）の周辺だけに比較的少量の擬似パチンコ玉群（１５ａ）が並ぶ縁取り凹凸状態に賦形されており、そのベースマスク（Ｍ２）のフラット面（１６）によって隣り合う上段のパチンコ玉箱（Ｃ）を下方から安定良く受け止め支持できるようになっている。
【００３３】
その場合、トップマスク（Ｍ１）の中央やその他の適当個所に支柱受け入れ孔（１７）を開口形成しておき、遊技者の獲得したパチンコ玉数が表示された表示プレート（１８）の支柱（１９）を、その支柱受け入れ孔（１７）へ差し込み使用できるように定めても良い。
【００３４】
何れにしても、上記トップマスク（Ｍ１）の全面擬似パチンコ玉群（１５）やベースマスク（Ｍ２）の周辺擬似パチンコ玉群（１５ａ）は、そのマスク（Ｍ１）（Ｍ２）の表面に対する塗装や印刷、メッキ、金属箔の蒸着、その他の表面処理によって、本物のパチンコ玉と同じ色調や光沢、質感、明度などの外観（意匠）を印象づけるようになっている。
【００３５】
尚、図１〜９の基本実施形態では上記合成樹脂のシート材から、お面やブリスター、卵パックなどのように真空成形されたトップマスク（Ｍ１）とベースマスク（Ｍ２）を示したが、これらを各種食品サンプルや装飾品などに見られるような合成樹脂の射出成形やブロー成形、上記金属の塑性加工やダイカストなどの方法を用いて作成することもでき、その製造法は問わない。
【００３６】
又、上記トップマスク（Ｍ１）とベースマスク（Ｍ２）を合成樹脂シート材から真空成形する場合でも、その成形前のシート状態において、上記印刷（オフセット印刷やインクジェットプリントなど）や金属箔（アルミ箔や銀箔など）の蒸着、その他の表面処理を行うことができる。
【００３７】
上記トップマスク（Ｍ１）とベースマスク（Ｍ２）とから成る集客用演出装置（Ｍ）の使用に当っては、図１、２から明白なように、最上段のパチンコ玉箱（Ｃ）をトップマスク（Ｍ１）により施蓋し、それ以外のパチンコ玉箱（Ｃ）をすべてベースマスク（Ｍ２）により施蓋して、その複数のパチンコ玉箱（Ｃ）をパチンコホールでの遊技中にある遊技者の足元へ、積み上げれば良い。
【００３８】
その場合、各パチンコ玉箱（Ｃ）は空箱状態であっても良く、又遊技者の獲得したパチンコ玉が収納されていてもさしつかえない。後者にあっては、その獲得したパチンコ玉が上記トップマスク（Ｍ１）やベースマスク（Ｍ２）により施蓋された状態に保たれるため、その獲得したパチンコ玉の盗難事故を心配することなく、遊技に没頭することができる。
【００３９】
図１、２のようなパチンコ玉箱（Ｃ）の積み上げ状態では、遊技者の獲得したパチンコ玉群が、その最上段のパチンコ玉箱（Ｃ）から盛り上がっており、併せて中段のパチンコ玉箱（Ｃ）や下段のパチンコ玉箱（Ｃ）も獲得したパチンコ玉の満杯になっていることを印象づけることになるため、視覚的に優れた演出作用を発揮することができ、パチンコホールへの集客効果が向上する。
【００４０】
尚、上記トップマスク（Ｍ１）とベースマスク（Ｍ２）の何れも、その不使用時には図６のように積み重ねて、小型コンパクトに保管することができる。
【００４１】
図１〜９に示した上記演出装置（Ｍ）のトップマスク（Ｍ１）並びにベースマスク（Ｍ２）では、何れもその周縁部をパチンコ玉箱（Ｃ）に対する下向きの差込み係止脚（１４）として、これをそのパチンコ玉箱（Ｃ）の囲い壁面（１２）へ上方から抜き差し自在に差し込み係止させ、その弾圧力での抜け止め状態に取り付け固定しているが、これに代る図１０〜１８のような集客用演出装置（Ｍ）の構成を採用しても良い。
【００４２】
即ち、図１０〜１４は本発明に係る集客用演出装置（Ｍ）の第１変形実施形態を示しており、その構成上最上段のパチンコ玉箱（Ｃ）を施蓋するトップマスク（Ｍ１）の上記全面擬似パチンコ玉群（１５）からは、あたかも垂れ下がるぶどうの房のような擬似延長パチンコ玉群（１５ｂ）が部分連続的に張り出されており、又最上段以外のパチンコ玉箱（Ｃ）を施蓋するベースマスク（Ｍ２）の上記周辺擬似パチンコ玉群（１５ａ）からも、同じような擬似延長パチンコ玉群（１５ｂ）が部分連続的に張り出されている。
【００４３】
そして、そのトップマスク（Ｍ１）並びにベースマスク（Ｍ２）の擬似延長パチンコ玉群（１５ｂ）は、何れもパチンコ玉箱（Ｃ）の開口上縁部に沿って延在する薄肉な又は軟質のヒンジ部（２０）から、下方へほぼ直角に折り曲げることができるように連成されている。
【００４４】
しかも、その擬似延長パチンコ玉群（１５ｂ）の張り出し先端部（下端部）と、これと向かい合うトップマスク（Ｍ１）並びにベースマスク（Ｍ２）の各周縁部とは、伸縮自在のゴム紐や作用長さの調整可能な面ファスナー、その他の締結用具（２１）を介して連繋されており、その締結用具（２１）をパチンコ玉箱（Ｃ）の底面（１１）へ着脱自在に掛け渡す（巻き付ける）ことによって、上記トップマスク（Ｍ１）並びにベースマスク（Ｍ２）をパチンコ玉箱（Ｃ）の施蓋状態に取り付け使用することができるようになっている。
【００４５】
図１〜９に説示した基本実施形態の演出装置（Ｍ）では、そのトップマスク（Ｍ１）とベースマスク（Ｍ２）の周縁部を何れもパチンコ玉箱（Ｃ）への差込み係止脚（１４）として、パチンコ玉箱（Ｃ）の囲い壁面（１２）へ差し込み係止させるようになっているが、図１０〜１４の第１変形実施形態ではトップマスク（Ｍ１）とベースマスク（Ｍ２）の周縁部を何れもパチンコ玉箱（Ｃ）の縁取りフランジ（１３）へ載置する係止フランジ（２２）として、ほぼ水平に張り出し形成すると共に、別個なゴム紐や面ファスナーなどの締結用具（２１）を使って、パチンコ玉箱（Ｃ）へ安定良く取り付け固定できるようになっているのである。
【００４６】
又、図１５、１６は本発明に係る集客用演出装置（Ｍ）の第２変形実施形態を示しており、これでは上記第１変形実施形態と同じトップマスク（Ｍ１）並びにベースマスク（Ｍ２）における擬似延長パチンコ玉群（１５ｂ）の張り出し先端部と、これと向かい合う周縁部の対応位置とを連繋する締結用具（２１）のみならず、パチンコ玉箱（Ｃ）における縁取りフランジ（１３）の就中把手（１３ａ）に巻き付けることができる追加の締結用具（２３）も、そのトップマスク（Ｍ１）とベースマスク（Ｍ２）の係止フランジ（２２）における上記把手（１３ａ）との対応位置へ取り付けている。
【００４７】
その追加する締結用具（２３）としても、伸縮自在のゴム紐や作用長さの調整可能な面ファスナーなどを採用することができる。尚、第２変形実施形態におけるその他の構成は上記第１変形実施形態と実質的に同一であるため、図１５、１６に図１０〜１４と同じ符号を記入するにとどめて、その詳細な説明を省略する。
【００４８】
更に、図１７、１８は上記集客用演出装置（Ｍ）の第３変形実施形態を示しており、これではそのトップマスク（Ｍ１）並びにベースマスク（Ｍ２）の周縁部から各々パチンコ玉箱（Ｃ）の把手（１３ａ）も含む縁取りフランジ（１３）へ全体的に喰い付く伸縮可能なゴム膜（２４）を連続的に張り出し形成している。そのゴム膜（２４）の張り出し先端部に図外の口径収縮紐などを通し込んで、これを引き絞ることにより取り付け固定しても良い。
【００４９】
特に、上記第１、２変形実施形態の演出装置（Ｍ）におけるトップマスク（Ｍ１）とベースマスク（Ｍ２）を使って、図１３、１４や図１６のように施蓋したパチンコ玉箱（Ｃ）を積み上げ状態に保てば、遊技者の獲得したパチンコ玉群が、その最上段のパチンコ玉箱（Ｃ）からトップマスク（Ｍ１）の全面擬似パチンコ玉群（１５）として盛り上がっていると共に、中段のパチンコ玉箱（Ｃ）や下段のパチンコ玉箱（Ｃ）もベースマスク（Ｍ２）の周辺擬似パチンコ玉群（１５ａ）により、その満杯状態になっていることを印象づけるほか、上記トップマスク（Ｍ１）並びにベースマスク（Ｍ２）の擬似延長パチンコ玉群（１５ｂ）が、その獲得したパチンコ玉群のますます多く溢れ出る印象を与えることになる結果、その視覚的に優れた演出作用により、集客効果を著しく向上できるのである。
【００５０】
但し、上記擬似延長パチンコ玉群（１５ｂ）の部分連続的な張り出し形成は、これをトップマスク（Ｍ１）とベースマスク（Ｍ２）との何れか一方だけに行うにとどめても良い。ベースマスク（Ｍ２）からこれを張り出し形成することは、省略してもさしつかえない。尚、第１〜３変形実施形態におけるその他の構成は上記基本実施形態と実質的に同一であるため、その図１０〜１８に図１〜９と同じ符号を記入するにとどめて、その詳細な説明を省略する。
【００５１】
上記基本実施形態と第１〜３変形実施形態では、従来から公知の汎用的なパチンコ玉箱（Ｃ）に適用した本発明を説明したが、そのパチンコ玉箱（Ｃ）をパチンコホール毎の特別な形態や仕様として作成しても良い。更に、パチンコ玉箱（Ｃ）を代表例に挙げて説明したが、これに代るメダル箱やその他の遊技媒体収納箱についても、上記演出装置（Ｍ）のトップマスク（Ｍ１）とベースマスク（Ｍ２）を準用することができ、そのメダル箱に準用する場合、上記擬似パチンコ玉群（１５）（１５ａ）（１５ｂ）は擬似メダル群（１５）（１５ａ）（１５ｂ）となり、やはり凹凸状態に賦形される。
【符号の説明】
【００５２】
（１１）・底面
（１２）・囲い壁面
（１３）・縁取りフランジ
（１３ａ）・把手
（１４）・差込み係止脚
（１５）・擬似パチンコ玉群（全面擬似遊技媒体群）
（１５ａ）・周辺擬似パチンコ玉群（周辺擬似遊技媒体群）
（１５ｂ）・擬似延長パチンコ玉群（擬似延長遊技媒体群）
（１６）・フラット面
（１７）・支柱受け入れ孔
（１８）・表示プレート
（１９）・支柱
（２０）・ヒンジ部
（２１）（２３）・締結用具
（２２）・係止フランジ
（２４）・ゴム膜
（Ｃ）・パチンコ玉箱（遊技媒体収納箱）
（Ｍ）・集客用演出装置
（Ｍ１）・トップマスク
（Ｍ２）・ベースマスク
【図１】
2017104307.tif 000003
【図２】
2017104307.tif 000004
【図３】
2017104307.tif 000005
【図４】
2017104307.tif 000006
【図５】
2017104307.tif 000007
【図６】
2017104307.tif 000008
【図７】
2017104307.tif 000009
【図８】
2017104307.tif 000010
【図９】
2017104307.tif 000011
【図１０】
2017104307.tif 000012
【図１１】
2017104307.tif 000013
【図１２】
2017104307.tif 000014
【図１３】
2017104307.tif 000015
【図１４】
2017104307.tif 000016
【図１５】
2017104307.tif 000017
【図１６】
2017104307.tif 000018
【図１７】
2017104307.tif 000019
【図１８】
2017104307.tif 000020